(57)【特許請求の範囲】
【請求項１】
ネットワークに接続されたカメラと、
前記カメラで取り込んだ映像を表示する表示手段と、
前記表示手段で映像を表示するにあたり所定のレイアウトのウィンドウに前記カメラから取り込んだ映像を表示させる制御を行う表示制御手段とを備える映像監視システムにおいて、
前記表示制御手段は、前記所定のレイアウトのウィンドウとカメラ識別符号との対応を示す割り当てデータベースを予め設定しておき、前記ネットワークに前記カメラが接続された段階で前記割り当てデータベースのカメラ識別符号と前記カメラとの対応を自動設定し、当該割り当てデータベースに基づき前記ウィンドウへの映像表示を制御し、
前記所定のレイアウトが複数ある場合、前記表示制御手段は、前記カメラとの対応を設定しようとする前記カメラ識別符号を含む全てのレイアウトを前記表示手段に表示可能に設定する
ことを特徴とする映像監視システム。
【請求項２】
ネットワークに接続されたカメラと、
前記カメラで取り込んだ映像を表示する表示手段と、
前記表示手段で映像を表示するにあたり所定のレイアウトのウィンドウに前記カメラから取り込んだ映像を表示させる制御を行う表示制御手段とを備える映像監視システムにおいて、
前記表示制御手段は、前記所定のレイアウトのウィンドウとカメラ識別符号との対応を示す割り当てデータベースを予め設定しておき、前記ネットワークに前記カメラが接続された段階で前記割り当てデータベースのカメラ識別符号と前記カメラとの対応を自動設定し、当該割り当てデータベースに基づき前記ウィンドウへの映像表示を制御し、
前記所定のレイアウトが複数ある場合、前記表示制御手段は、所定のカメラについて映像表示の指示を受け付けた際に、前記所定のカメラが対応付けされた前記カメラ識別符号を含む全てのレイアウトを選択可能に設定する
ことを特徴とする映像監視システム。
【請求項３】
ネットワークに接続されたカメラと、
前記カメラで取り込んだ映像を表示する表示手段と、
前記表示手段で映像を表示するにあたり所定のレイアウトのウィンドウに前記カメラから取り込んだ映像を表示させる制御を行う表示制御手段とを備える映像監視システムで実行される映像監視プログラムにおいて、
前記表示制御手段による制御によって、前記所定のレイアウトのウィンドウとカメラ識別符号との対応を示す割り当てデータベースを予め設定しておき、前記ネットワークに前記カメラが接続された段階で前記割り当てデータベースのカメラ識別符号と前記カメラとの対応を自動設定し、当該割り当てデータベースに基づき前記ウィンドウへの映像表示を制御し、
前記所定のレイアウトが複数ある場合、前記表示制御手段は、前記カメラとの対応を設定しようとする前記カメラ識別符号を含む全てのレイアウトを前記表示手段に表示可能に設定する
ことを特徴とする映像監視プログラム。
【請求項４】
ネットワークに接続されたカメラと、
前記カメラで取り込んだ映像を表示する表示手段と、
前記表示手段で映像を表示するにあたり所定のレイアウトのウィンドウに前記カメラから取り込んだ映像を表示させる制御を行う表示制御手段とを備える映像監視システムで実行される映像監視プログラムにおいて、
前記表示制御手段による制御によって、前記所定のレイアウトのウィンドウとカメラ識別符号との対応を示す割り当てデータベースを予め設定しておき、前記ネットワークに前記カメラが接続された段階で前記割り当てデータベースのカメラ識別符号と前記カメラとの対応を自動設定し、当該割り当てデータベースに基づき前記ウィンドウへの映像表示を制御し、
前記所定のレイアウトが複数ある場合、前記表示制御手段は、所定のカメラについて映像表示の指示を受け付けた際に、前記所定のカメラが対応付けされた前記カメラ識別符号を含む全てのレイアウトを選択可能に設定する
ことを特徴とする映像監視プログラム。
【発明の詳細な説明】
【技術分野】
【０００１】
本発明は、ネットワークに接続されたカメラの映像を所定のレイアウトで表示するとともに、取り込んだ映像を記録して再生することができる映像監視システムおよび映像監視プログラムに関する。
【背景技術】
【０００２】
映像監視システムは、例えば複数台のカメラで取り込んだ映像をモニタに分割表示して同時に各所の映像を１箇所で監視したり、取り込んだ映像を記録しておき、必要に応じて過去の映像を再生するシステムである。近年では、セキュリティ向上の観点から銀行やコンビニエンスストア等の店舗内外での映像監視にとどまらず、一般会社や駐車場、街頭や学校、マンションや個人宅といった様々な場所で映像監視が実施されるようになっている（例えば、特許文献１、２参照。）。
【０００３】
一方、映像を取り込むカメラの高性能化、低価格化や記録媒体の大容量、低価格化とともにネットワークの発達から、複数台のカメラをネットワークに接続し、ネットワーク経由で送られる映像の表示や蓄積、再生を管理するネットワーク対応型の映像監視システムの登場している。
【０００４】
【特許文献１】特開２００１−３０９３６８号公報
【特許文献２】特開平１０−３３６６３１号公報
【発明の開示】
【発明が解決しようとする課題】
【０００５】
ここで、映像監視システムにおいて、ネットワークに接続されたカメラの映像をモニタのウィンドウに表示させる場合、ユーザは所定のレイアウトを選択した後、そのレイアウトの特定ウィンドウにカメラの映像を割り当てる作業を行っている。つまり、ネットワーク接続されたカメラの映像を監視装置で取り込んで所定のウィンドウに割り当てるには、どのカメラの映像をどのレイアウトのウィンドウに割り当てるかをユーザが手動で行わなければならず、非常に手間のかかる作業を強いられることになる。特に多くのレイアウトが用意されている場合には、一つのカメラに対して数多くのレイアウト割り当てを行う必要があり、簡単なセットアップを実現する上で非常に問題となっている。
【課題を解決するための手段】
【０００６】
本発明はこのような課題を解決するために成されたものである。すなわち、本発明は、ネットワークに接続されたカメラと、カメラで取り込んだ映像を表示する表示手段と、表示手段で映像を表示するにあたり所定のレイアウトのウィンドウにカメラから取り込んだ映像を表示させる制御を行う表示制御手段とを備える映像監視システムにおいて、この表示制御手段によって、所定のレイアウトのウィンドウとカメラ識別符号との対応を示す割り当てデータベースを予め設定しておき、ネットワークにカメラが接続された段階で割り当てデータベースのカメラ識別符号とカメラとの対応を自動設定し、その割り当てデータベースに基づきウィンドウへの映像表示を制御するものである。
【０００７】
また、本発明は、上記映像監視システムで実行される映像監視プログラムであり、表示制御手段によるプログラム制御によって、所定のレイアウトのウィンドウとカメラ識別符号との対応を示す割り当てデータベースを予め設定しておき、ネットワークにカメラが接続された段階で割り当てデータベースのカメラ識別符号とカメラとの対応を自動設定し、その割り当てデータベースに基づきウィンドウへの映像表示を制御するものである。
【０００８】
このような本発明では、表示制御手段によって所定レイアウトでのウィンドウとカメラ識別符号との対応を示す割り当てデータベースが予め設定されているため、ネットワークにカメラが接続されると割り当てデータベースのカメラ識別符号とそのカメラとの対応付けを自動的に設定できるようになる。これにより、ネットワークにカメラを接続した際には、特別な割り当て作業を行うことなく、そのカメラと対応付けされたカメラ識別符号が割り当てられているレイアウトのウィンドウに表示されるようになる。
【発明の効果】
【０００９】
したがって、本発明によれば、ネットワークにカメラを接続するだけで、所定レイアウトのウィンドウに即座にそのカメラの映像を表示させることができ、ユーザによるカメラ割り当て作業を不要にすることが可能となる。このため、ユーザはネットワークにカメラを接続するだけで、その他の手間のかかる作業を行わずにカメラの映像をモニタ表示させることができ、非常に簡単なセットアップを実現することが可能となる。
【発明を実施するための最良の形態】
【００１０】
以下、本発明の実施の形態を図に基づき説明する。図１は、本実施形態に係る映像監視システムの構成を示す模式図、図２は、本実施形態に係る映像監視プログラムの構成を示す模式図である。
【００１１】
図１に示すように、本実施形態に係る映像監視システムは、ネットワークＮに接続されたカメラ１０（複数台接続されている場合もある）と、同じネットワークＮに接続された監視装置２０と、監視装置２０に接続されたモニタ（表示手段）３０とを備えている。この映像監視システムにおいては、カメラ１０で取り込んだ映像を所定のデータ形式（例えば、ＪＰＥＧ（Joint Photographic Experts Group）やＭＰＥＧ−４（Moving Picture Experts Group phase 4））によってネットワークＮを介して監視装置２０に送り、監視装置２０に接続されたモニタ３０で現在の映像を表示したり、送られた映像を監視装置２０に設けられた記憶手段であるＨＤＤ（ハードディスクドライブ）２３に記録することができる。また、ＨＤＤ２３に記録された過去の映像を検索し、再生することもできる。
【００１２】
監視装置２０は、ネットワークＮを介してカメラ１０から送られる映像を管理するため、映像監視プログラムを実行する制御手段となるＣＰＵ２１と、画像処理等を行う際の作業エリアとして利用されるＲＡＭ（Random Access Memory）等のメモリ２２と、カメラ１０から送られる映像を逐次格納していく記憶手段であるＨＤＤ２３とを備えている。また、監視装置２０にはモニタ３０を接続するモニタインタフェース２４と、ジョイスティックや増設ＨＤＤ等の外部機器を接続するための外部機器インタフェース２５と、ネットワークＮとの入出力を行うネットワークインタフェース２６とを備えている。
【００１３】
ＣＰＵ２１で実行される映像監視プログラムは、図２に示すようにオペレーティングシステム１００の上で実行される記録サーバ部１０１と、ＧＵＩ（Graphical User Interface）制御部１０２とから構成される。記録サーバ部１０１は、カメラ１０から送られる映像をカメラ識別番号や記録日時、圧縮形式とともに管理してＨＤＤ２３に記録し、映像データベースを構築する処理を行う。また、記録サーバ部１０１は、ユーザの指示に基づきＨＤＤ２３から過去の映像を検索して読み出し、再生する処理も行う。
【００１４】
ＧＵＩ制御部１０２は、モニタ３０（図１参照）に映像を表示するためのウィンドウ制御や、ウィンドウへの映像割り当て、ウィンドウへの各種制御ボタン（アイコン）の表示制御、マウスやキーボード、機能ボタン、ジョイスティック等の入力手段の操作によって行われるユーザから指示の受け付けを制御する部分（表示制御手段）である。
【００１５】
このようなシステム構成およびプログラム構成によって、カメラ１０で取り込んだ映像はネットワークＮを介して監視装置２０に送られ、モニタ３０に表示される。複数台のカメラ１０が接続されている場合には、各カメラ１０で取り込んだ映像を各々ウィンドウに表示し、複数のウィンドウをモニタ３０上に並べて表示したり、特定のカメラ１０のウィンドウのみをモニタ３０の全面に表示したり、カメラ１０がパン・チルト・ズームに対応している場合にはユーザのコントロールによってカメラ１０をパン・チルト・ズームしてその映像を表示することができる。
【００１６】
カメラ１０で取り込んだ映像は順次ＨＤＤ２３に記録され、映像データベースが構築される。ＨＤＤ２３に映像データベースが構築されると、監視装置２０から映像データベースにアクセスして所望の映像を読み出すことができるとともに、監視装置２０もネットワーク接続されていることから、同じネットワークに接続された外部のパーソナルコンピュータ等から映像データベースにアクセスして所望の映像を参照することもできる。
【００１７】
本実施形態の映像監視システムでは、このようにネットワークＮに接続したカメラ１０の映像をモニタ３０に表示させるにあたり、特別な作業を行うことなく予め設定されたレイアウトのウィンドウに即座にカメラ映像を表示できる点に特徴がある。
【００１８】
このような表示レイアウトの制御は図２に示すＧＵＩ制御部１０２のプログラム制御によって実現され、特に複数のカメラからの映像を複数のウィンドウに並べて表示させる場合に有効となる。
【００１９】
図３は、複数のカメラによって取り込んだ映像のモニタへの表示例を示す図である。複数のカメラで取り込んだ映像は各々のウィンドウに表示され、例えば縦横に並べられている。図３の例では３×３の合計９個のウィンドウが表示され、各々別個のカメラの映像が表示されている。つまり、合計９台のカメラの映像を同時に参照できるようになっている。なお、このウィンドウの表示個数やレイアウトはユーザの選択によって種々切り替えられるようになっている。
【００２０】
映像を表示するウィンドウの上側には画面切り替え用のボタンと機能選択用のボタンとが設けられている。ここで、画面切り替え用のボタンは、全体ウィンドウに表示させる内容を選択するボタンであり、カメラの映像を表示する場合には「Ｍｏｎｉｔｏｒｉｎｇ」ボタン、基本設定を行う場合には「Ｃｏｎｆｉｇｕｒａｔｉｏｎ」、システム設定を行う場合には「Ｓｙｓｔｅｍ」ボタンを選択する。
【００２１】
機能選択用ボタンは、カメラ以外の映像を選択する「Ｅｘｐｏｒｔ」ボタン、選択したウィンドウの表示を全画面表示する「Ｆｕｌｌ  Ｓｃｒｅｅｎ」ボタン、複数のウィンドウのレイアウト（３×３や２×２などのレイアウト）を選択する「Ｍｏｎｉｔｏｒ  Ｗｉｎｄｏｗ」ボタン、画面切り替えを自動的に行うモニターシーケンスの開始・停止を指定する「Ｓｅｑｕｅｎｃｅ」ボタンから成る。
【００２２】
全体ウィンドウの下側には映像表示ウィンドウの状態（現在映像表示／過去映像再生）の切り替えを行うボタンと再生記録動作を操作するボタン、カメラ選択用のボタン、音量設定のためのスライドバー、過去の映像を検索するための日時指定用ボックスが設けられている。
【００２３】
また、全体ウィンドウの右側にはオプションウィンドウが表示されている。オプションウィンドウとしては、ウィンドウ切り替えボタンによって、「カメラコントロール」、「記録中カメラ一覧」、「記録画像リスト」、「システムログ」、「アラーム出力状況一覧」、「センサー入力状況一覧」、「動体検知状況一覧」、「マニュアルトリガー」を選択することができる。
【００２４】
「カメラコントロール」を選択すると、指定したウィンドウのパンやチルト、ズームやフォーカス、ブライトネス等のカメラ機能を制御するウィンドウ表示に切り替わる。また、「記録中カメラ一覧」を選択すると、撮影が実行されているカメラの一覧がオプションウィンドウに表示される。記録画像リストを選択すると、最近の記録画像の一覧がオプションウィンドウに表示される。
【００２５】
「アラームログ」を選択すると、アラームに関するログがオプションウィンドウに表示される。「システムログ」を選択すると、システム情報やエラーに関するログがオプションウィンドウに表示される。「アラーム出力状況一覧」を選択すると、現在のアラーム出力の状況がオプションウィンドウに表示される。「センサー入力状況一覧」を選択すると、現在のセンサー入力の状況がオプションウィンドウに表示される。
【００２６】
「動体検知状況一覧」を選択すると、現在の動体検知情報がオプションウィンドウに表示される。「マニュアルトリガー」を選択すると、手動で起動できるアクションがオプションウィンドウに表示される。
【００２７】
また、映像が表示されているウィンドウを指定した状態でオプションウィンドウにカメラコントロールを表示し、例えば矢印ボタンを選択すると、そのウィンドウに映像を送っているカメラのパン、チルトを行ったり、ズームボタンを選択して映像のズームイン、ズームアウトを指定することができる。
【００２８】
また、過去に取り込んだ映像を参照するには、過去の映像を参照したいカメラの現在の映像が表示されているウィンドウを選択し、日時指定用ボックスに参照した過去の日時を入力する。本実施形態では、日時指定用ボックスが全体ウィンドウの右下に表示されており、映像を表示するウィンドウの表示状態を維持したまま日時指定を行うことができる。
【００２９】
ここで、過去の映像を参照したいカメラに対応したウィンドウは複数同時に指定することもできる。複数のウィンドウを指定した場合でも日時指定のボックスは一つであり、複数のウィンドウに対して１つの共通の日時設定を受け付けることができる。
【００３０】
上記のようなウィンドウへのカメラ画像の表示を行うにあたり、本実施形態では、ウィンドウのレイアウトが複数用意されているとともに、その複数のレイアウトについて各ウィンドウとカメラＩＤ（識別符号）との対応を示す割り当てデータベースが予め用意されている。
【００３１】
図４は、割り当てデータベースの概念を説明する模式図である。モニタに表示されるウィンドウのレイアウトとしては種々のものが用意されている。例えば、１×１、２×２、３×３…といったマトリクス状のレイアウトが一般的である。また、ユーザが好みに応じてレイアウトを設定することもできる。
【００３２】
このようなレイアウトにおいて、レイアウトに配置される各ウィンドウとカメラＩＤとの対応付けが割り当てデータベースとなる。図４に示す例では、１×１レイアウトの１つのウィンドウにカメラＩＤ「３」が割り当てられ、２×２レイアウトの４つのウィンドウにカメラＩＤ「１」〜「４」が割り当てられ、３×３レイアウトの９つのウィンドウにカメラＩＤ「１」〜「９」が割り当てられている。
【００３３】
また、このカメラＩＤと対応してカメラＩＰアドレスが紐付けされている。カメラＩＤとカメラＩＰアドレスとの対応付けは、ユーザによってネットワーク接続されたカメラの検索動作が指定された場合や、所定のタイミングで検索動作を自動的に実行した場合に行われる。
【００３４】
例えば、カメラＣをネットワークに接続した際、カメラＩＤ「３」にカメラＣのＩＰアドレスが登録されたとすると、カメラＩＤ「３」が割り当てられているレイアウトの当該カメラＩＤのウィンドウにカメラＣの映像が表示される。具体例として、カメラＩＤ「３」が割り当てられた１×１のレイアウトをユーザが選択すると、１つのウィンドウにカメラＣの映像が表示され、２×２のレイアウトを選択すると、２×２のウィンドウのうちカメラＩＤ「３」が割り当てられた左下のウィンドウにカメラＣの映像が表示され、３×３のレイアウトを選択すると、３×３のうちカメラＩＤ「３」が割り当てられた右上のウィンドウにカメラＣの映像が表示される。
【００３５】
従来のシステムでは、レイアウトのウィンドウに対して何の割り当てもされていないことから、ユーザはカメラをネットワークを接続した後、所定のアプリケーションを用いて所望のレイアウトのウィンドウに接続したカメラのＩＰアドレス等を割り当てる作業を行う必要がある。多くのレイアウトが用意されている場合には、各レイアウトのウィンドウに接続したカメラのＩＰアドレスの割り当てを行わなければならない。
【００３６】
本実施形態では、予めレイアウトのウィンドウにカメラＩＤが割り当てられ、このカメラＩＤとカメラのＩＰアドレスとがネットワーク接続の段階で自動的に対応付けされることから、カメラをネットワークに接続するだけで所定のレイアウトにカメラの映像を表示させることが可能となる。
【００３７】
図５は、本実施形態の映像監視プログラムにおける処理を説明するフローチャートである。ここで、予め利用されるウィンドウのレイアウトを登録しておき、各レイアウトのウィンドウには登録可能カメラ台数に応じたカメラＩＤをアサインしておく。また、カメラＩＤが１つもアサインされていないレイアウトでは利用価値がないため、そのレイアウトの表示フラグをＯＦＦとしておき、アプリケーション上には表示しない設定としておく。
【００３８】
先ず、ネットワーク上の同一セグメント内に存在するカメラをブロードキャストで自動検索する（ステップＳ１）。次に、検索されたカメラのうち登録すべきカメラをユーザが選択し（ステップＳ２）、その後、現在利用されていない最も若いレイアウト用カメラＩＤの抽出を行う（ステップＳ３）。最も若いカメラＩＤを抽出することにより、レイアウト上で利用されていない、歯抜けのウィンドウにカメラをアサインすることができる。
【００３９】
次に、アプリケーションで利用するカメラを一意に特定するカメラＩＤとレイアウト用カメラＩＤとをセットにして、データベースに保存する（ステップＳ４）。本処理により、カメラの映像を取得するのに必要となるカメラＩＤとレイアウト上での表示位置を決めるレイアウト用カメラＩＤの紐付け情報が保持される。
【００４０】
次いで、予め作成されているレイアウトの中から新たに割り当てられたレイアウト用カメラＩＤを保持するレイアウトを抽出する（ステップＳ５）。そして、抽出されたレイアウトの表示フラグをチェックし（ステップＳ６）、ＯＦＦであれば、初めてカメラが割り当てられ、利用価値が生まれたと判断し、表示フラグをＯＮとする（ステップＳ７）。これにより、はじめて該当レイアウトは利用可能（表示される）となる。
【００４１】
上記の流れによって、ユーザが手作業で行っていたレイアウト作成および各画面へのカメラの割り当てを自動的に行うことができ、カメラ登録後にすぐ映像のモニタリングや記録など各種操作を行うことが可能となる。
【００４２】
また、図６は、カメラの削除を行う場合の流れを説明するフローチャートである。ネットワークに接続されたカメラを取り外す場合や、割り当てを解除する場合、カメラの登録削除処理を行う。この場合、先ず、削除対象のカメラを割り当てているカメラＩＤをデータベースから検索し（ステップＳ１１）、その後、データベースからそのカメラＩＤに対応付けされたカメラ（例えば、カメラのＩＰアドレス）の削除を行う（ステップＳ１２）。このように、カメラの登録削除を行う際にはデータベースからの削除のみを行い、アサイン済みＩＤの振りなおしは実施しない。これにより、故障によるカメラの差し替え時にも同じ位置にカメラがアサインされ、レイアウトの配置も削除前のまま保持されることになる。
【００４３】
図７は、レイアウトとカメラＩＤとの対応を示す割り当てデータベースの例を説明する模式図である。本実施形態の映像監視システムでは、デフォルトのレイアウトとして１×１〜８×８のレイアウトが用意されており、最大６４台のカメラが接続できるよう「１」〜「６４」のカメラＩＤが各レイアウトのウィンドウに割り当てられている。デフォルトのレイアウトに割り当てられたカメラＩＤはユーザによる変更はできない。
【００４４】
また、デフォルトのレイアウトのほか、ユーザによる自由な割り当てを行うことができるカスタムレイアウトも用意されている。カスタムレイアウトでは、ウィンドウの大きさは配置個数など自由に設定できるとともに、どのウィンドウに何番のカメラＩＤを割り当てるかも自由に登録することができる。
【００４５】
図８は、デフォルトのレイアウトの設定画面の例を示す図である。この例は２×２のレイアウトの設定画面を示しており、左側にレイアウトのツリー構造が表示され、右側に２×２レイアウトの詳細設定が示されている。デフォルトのレイアウトでは設定内容を表示するだけで変更はできないようになっている。
【００４６】
図９は、カスタムレイアウトの設定画面の例を示す図である。カスタムレイアウトでは、ユーザによって表示／非表示の選択、レイアウト名称、ウィンドウ配置、ウィンドウサイズ、ウィンドウごとのカメラＩＤの指定、ホットスポット指定、情報表示およびコメントを指定することができる。この設定画面によってユーザは好みのレイアウトやカメラＩＤの割り当てをマニュアルで行うことができる。
【００４７】
図１０は、カメラを追加する場合の具体例を説明する模式図である。上記のようなレイアウトが予め用意されている状態で、新たなカメラをネットワークに接続した場合、先ず、カメラＩＤとカメラとの対応を示すデータベースを検索して、空きとなっている最も若いカメラＩＤを探す。図１０の例では、カメラＩＤ「１４」まで登録されているため、空きとなっているカメラＩＤの中で最も若い番号はカメラＩＤ「１５」となる。そして、このカメラＩＤ「１５」に追加したカメラのＩＰアドレスを対応付けした登録を行う。これにより、カメラＩＤ「１５」のカメラが特定され、予め用意されたレイアウトの中でカメラＩＤ「１５」が割り当てられたウィンドウに映像が表示される。ユーザは、特別な割り当て操作を行うことなく、カメラを接続するだけで自動的に割り当てられたウィンドウにそのカメラの映像を表示できることになる。
【００４８】
ここで、多数のレイアウトの中から特定のカメラの映像を表示できるレイアウトを選択する場合の流れについて説明する。図１１は、特定のカメラのレイアウト選択について説明する模式図である。先ず、ユーザは映像を参照したい特定のカメラの指定を行う。図９に示す例では、カメラＡを指定している。特定のカメラＡが指定されると、映像監視システムではカメラＡと対応するカメラＩＤを検索し、そのカメラＩＤが割り当てられているウィンドウを含む全てのレイアウトをリスト表示する。リスト表示は例えば図３に示すオプションウィンドウに表示され、ユーザはそのリスト表示の中から好みのレイアウトを選択する。これにより、多数のレイアウトの中から特定のカメラの映像を表示できるレイアウトを迅速に選択できるようになる。
【図面の簡単な説明】
【００４９】
【図１】本実施形態に係る映像監視システムの構成を示す模式図である。
【図２】本実施形態に係る映像監視プログラムの構成を示す模式図である。
【図３】複数のカメラによって取り込んだ映像のモニタへの表示例を示す図である。
【図４】割り当てデータベースの概念を説明する模式図である。
【図５】本実施形態の映像監視プログラムにおける処理を説明するフローチャートである。
【図６】カメラの削除を行う場合の流れを説明するフローチャートである。
【図７】レイアウトとカメラＩＤとの対応を示す割り当てデータベースの例を説明する模式図である。
【図８】デフォルトのレイアウトの設定画面の例を示す図である。
【図９】カスタムレイアウトの設定画面の例を示す図である。
【図１０】カメラを追加する場合の具体例を説明する模式図である。
【図１１】特定のカメラのレイアウト選択について説明する模式図である。
【符号の説明】
【００５０】
１０…カメラ、２０…監視装置、２１…ＣＰＵ、２２…メモリ、２３…ＨＤＤ、２４…モニタインタフェース、２５…外部機器インタフェース、２６…ネットワークインタフェース、１０１…記録サーバ部、１０２…ＧＵＩ制御部、Ｎ…ネットワーク
【図１】
0004525618.tif 000002
【図２】
0004525618.tif 000003
【図３】
0004525618.tif 000004
【図４】
0004525618.tif 000005
【図５】
0004525618.tif 000006
【図６】
0004525618.tif 000007
【図７】
0004525618.tif 000008
【図８】
0004525618.tif 000009
【図９】
0004525618.tif 000010
【図１０】
0004525618.tif 000011
【図１１】
0004525618.tif 000012